(57)【特許請求の範囲】
【請求項１】
キッチンカウンターの上方に設置される吊戸棚であって、
少なくとも一方の端部から入射された光源からの光を長手方向に沿って伝送するとともに、その伝送する光を外周面から漏光させて発光する側面発光型の発光ファイバーからなる断面円形状とされた導光体を、吊戸棚本体の下面側に横幅方向に沿って設けられた断面略Ｕ字状の凹溝に嵌め込まれた断面略Ｕ字状のレールの内側に沿わせるように収容してライン状に敷設し、かつ、前記凹溝の開放側を、該凹溝が設けられた面と略面一となる透光性カバーによってカバーしており、
前記導光体は、前記吊戸棚本体の凹溝が設けられた面側の周面からのみ漏光する構成とされており、
前記透光性カバーは、前記導光体に近接して設けられていることを特徴とする吊戸棚。
【請求項２】
請求項１において、
前記光源は、前記吊戸棚本体内に設けられていることを特徴とする吊戸棚。
【請求項３】
請求項１または２において、
周囲の照度を検知する照度検知センサと、人の在、不在を検知する人体検知センサとを更に備えており、
前記照度検知センサが検知した周囲の照度が所定値より以下で、かつ、前記人体検知センサが人の在を検知したときには、前記光源を点灯させ、前記導光体を発光させることを特徴とする吊戸棚。
【発明の詳細な説明】
【技術分野】
【０００１】
本発明は、キッチンカウンターの上方に設置される吊戸棚の照明に関する。
【背景技術】
【０００２】
従来、キッチンカウンターの上方に設置される吊戸棚の照明としては、吊戸棚の下面に、照明装置等を付設したものが知られている（例えば、下記特許文献１の図１参照）。
このような従来の照明装置では、吊戸棚の下面から突出しているので、キッチン全体の意匠性を損なうという問題があった。
【０００３】
例えば、下記特許文献２では、前記のような問題を解決すべく、吊戸棚に設ける扉の外周縁を凹欠きして、その凹欠き部に棒状蛍光灯を取付けるとともに、透光カバーによって覆った照明装置付きの扉が提案されている。
上記照明装置付きの扉によれば、吊戸棚の内部に照明装置取り付け用のスペースを設ける必要がなく、また、照明装置が扉内に収まるので、意匠性を向上できる、と説明されている。
【特許文献１】特許３０８９６５２号
【特許文献２】実開平５−８５９９３号公報
【発明の開示】
【発明が解決しようとする課題】
【０００４】
しかしながら、前記各特許文献に記載のものでは、それぞれ吊戸棚の長手方向に沿って照明装置が設けられているので、その下方に位置するキッチンカウンターを長手方向に沿って照明できるものであるが、長尺の蛍光灯などを使用しているため、照明装置の交換等の際に、取り扱いが不便であり、メンテナンス性の向上が望まれていた。また、このような蛍光灯では、そのもの自身の径が比較的大きく、また、点灯した際に発熱するためカバーなどを離間させて配置する必要があることから、カバー自体も大きくならざるを得ず、照明装置を設置するための設置スペースの省スペース化が望まれていた。
【０００５】
本発明は、上記実情に鑑みなされたものであり、メンテナンスが良好で、発光部自体の設置スペースの省スペース化を可能とする照明手段を備えた吊戸棚を提供することを目的としている。
【課題を解決するための手段】
【０００６】
前記目的を達成するために、本発明に係る吊戸棚は、キッチンカウンターの上方に設置される吊戸棚であって、少なくとも一方の端部から入射された光源からの光を長手方向に沿って伝送するとともに、その伝送する光を外周面から漏光させて発光する側面発光型の発光ファイバーからなる断面円形状とされた導光体を、吊戸棚本体の下面側に横幅方向に沿って設けられた断面略Ｕ字状の凹溝に嵌め込まれた断面略Ｕ字状のレールの内側に沿わせるように収容してライン状に敷設し、かつ、前記凹溝の開放側を、該凹溝が設けられた面と略面一となる透光性カバーによってカバーしており、前記導光体は、前記吊戸棚本体の凹溝が設けられた面側の周面からのみ漏光する構成とされており、前記透光性カバーは、前記導光体に近接して設けられていることを特徴とする。
【０００７】
本発明の前記吊戸棚においては、前記光源を、吊戸棚本体内に設けるようにしてもよい。
さらに、本発明の前記吊戸棚においては、周囲の照度を検知する照度検知センサと、人の在、不在を検知する人体検知センサとを更に備えた構成とし、前記照度検知センサが検知した周囲の照度が所定値より以下で、かつ、前記人体検知センサが人の在を検知したときに、前記光源を点灯させて前記導光体を発光させるようにしてもよい。
【発明の効果】
【０００８】
本発明に係る前記吊戸棚によれば、吊戸棚本体の下面側に、横幅方向に沿ってライン状に導光体を敷設しているので、吊戸棚の横幅方向に沿って下方に向けて照明することができる。
また、その敷設される照明を、少なくとも一方の端部から入射された光源からの光を長手方向に沿って伝送するとともに、その伝送する光を外周面から漏光させて発光する側面発光型の導光体としているので、横幅方向に沿って敷設される導光体自体のメンテナンスは、殆ど必要とならず、光源を交換等すれば良いため、前記各特許文献に記載のような長尺の蛍光灯等に比べて取り扱いが容易であり、メンテナンス性が向上する。
さらに、前記のような導光体は、小径とでき、また、そのもの自身の発熱量が、前記した蛍光灯や白熱球等と比べて小さいので、カバー等を設ける際にも導光体に近接して設けることができ、発光部となる導光体の設置スペースを小さくできる。よって、省スペース化が図れる。
さらにまた、このような側面発光型の導光体は、特に、耐水性に優れているので、水廻りにも設置でき、よって、キッチンカウンターの上方に配置され、水等が跳ねる恐れのある吊戸棚に好適である。
【０００９】
また、このような側面発光型の導光体は、光源からの光を伝送しながら側面から漏光させることで発光するので、キッチンの使用時に手元を照らす主照明（キッチンルームの室内灯や、壁などに付設された流し元灯など）に比べて、照度が低く、キッチンカウンターの存在を認識させる程度の照度が低い照明となる。これにより、例えば、夜間の就寝中、途中で目覚めて、キッチンを一時的に利用するような際には、主照明を点灯させずに、補助照明として前記導光体を使用でき、目に強い刺激を与えることがない。すなわち、従来のキッチンルームの天井に設けられた照明や、壁などに付設された流し元灯、前記各特許文献等に記載の照明を点灯させると、そもそも調理作業時に手元や食材を照明するためのものであるため、その明るさによって目が冴えてしまい、再度就寝する際に眠気が殺がれ、寝付けなくなる場合があるが、本発明によれば、導光体からの光は、上記のように比較的照度が低いので、目に強い刺激を与えることなく、キッチンを利用後も寝付きやすくなり、再度の就寝を妨害するようなことも防止できる。
【００１０】
また、本発明において、前記導光体を、敷設された状態で前面側の周面からのみ漏光する構成とすれば、導光体の敷設される側、すなわち背面側の周面から漏光することがないので、前記のように少なくとも一方の端部から入射された光を効率良く長手方向に沿って伝送できるとともに、前面側からの漏光による発光を効率良く行える。これにより外周面の全周から漏光させて発光するものと比べて、光源を低出力のものとしても前面側の周面から十分に発光するので、省電力化が図れる。
【００１１】
また、本発明において、前記光源を、吊戸棚本体内に設けるようにすれば、光源を外部に設置する場合と比べて、すっきりとした吊戸棚となり、デザイン性に優れたものとなる。すなわち、吊戸棚本体内に設置された光源から光を伝送して、上記導光体を発光させることができるので、従来のような蛍光灯や白熱球等と比べて、上記のように発光部自体の設置スペースを小さくできる。
【００１２】
また、本発明において、周囲の照度を検知する照度検知センサと、人の在、不在を検知する人体検知センサとを更に備えた構成とし、前記照度検知センサが検知した周囲の照度が所定値より以下で、かつ、前記人体検知センサが人の在を検知したときに、前記光源を点灯させて前記導光体を発光させるようにすれば、例えば、キッチンルームが暗い場合や夜間等にキッチンを利用する際に、使用者が吊戸棚に近づくと、自動で導光体が発光するので、スイッチ等を手探りで探す必要が無く、快適に使用できるものとなる。
【発明を実施するための最良の形態】
【００１３】
以下に本発明の最良の実施の形態について、図面に基づいて説明する。
図１は、第１実施形態に係る吊戸棚を備えたシステムキッチンを示す概略斜視図、図２は、図１におけるＸ−Ｘ線矢視概略断面図、図３（ａ）は、図１におけるＹ−Ｙ線矢視概略拡大断面図、図３（ｂ）は、同実施形態に係る吊戸棚が備える照明手段を模式的に示す概略正面図、図４は、同実施形態に係る吊戸棚の内部構成を示す要部ブロック図である。
尚、以下の各実施形態において指す前後方向は、キッチンカウンターに対し使用者が対面した状態における手前側を前、奥側を後とし、その前後方向に直交する方向を横幅方向（左右方向）として説明する。
【００１４】
図例の吊戸棚１は、システムキッチンＡにおいてキッチンカウンター２１の上方に設置されており、室内の内壁等に付設されている。
システムキッチンＡは、床側に設置されたフロアユニット２０と、上記吊戸棚１と、レンジフード１９とを備えている。
フロアユニット２０は、コンロ２２及びシンク２３を有したキッチンカウンター２１と、その下方に配置されてキッチンカウンター２１を上方に載置する複数のキャビネットからなるフロアキャビネット２４とを備えている。
【００１５】
吊戸棚１は、吊戸棚本体１０と、後記する照明手段３０と、各部を制御する制御ユニット４０とを備えている。
吊戸棚本体１０は、本実施形態では、両開きの開き収納１０ａ、両開きの開き収納１０ｂ及び片開きの開き収納１０ｃを右側からこの順に配して構成されている。
各開き収納１０ａ，１０ｂ，１０ｃは、それぞれ左右に配された側板１２と、側板１２間に設けられた天板１３、背板１４及び底板１５とで前方に向けて開口する方形箱体を形成し、この箱体の前面を閉塞する開閉自在とされた開閉扉１１が設けられている。
また、図２に示すように、内部を収容スペースとする前記方形箱体を中程で仕切る仕切り板１７が側板１２間に架設され、側板１２に設けられたスライド丁番１２ａによって、各開閉扉１１が開閉自在に支持されている。
【００１６】
上記吊戸棚本体１０の下面１５ａの後端部には、後記する発光ファイバー３２が敷設された断面視略三角形状のファイバー保持部材１６が、吊戸棚本体１０の横幅方向に沿って全体に亙って付設されている。
これら３つの開き収納のうち最右方に配置された開き収納１０ａ内には、図２に示すように、後記する照明手段３０を構成する光源装置３１が右側後方位置に配設されている。また、その光源装置３１を覆うように光源装置カバー１８が設けられ、この光源装置カバー１８には、光源装置３１のメンテナンスを行う際に開閉されるメンテナンス用扉１８ａが設けられている。
また、開き収納１０ａの底板１５の上記光源装置３１が配された箇所には、後記する発光ファイバー３２が挿通される孔１５ｂが開設されている。
【００１７】
ファイバー保持部材１６は、後方側から手前側に向けて先細りとなるように傾斜する傾斜面１６ａを有し、その傾斜面１６ａには、後記する発光ファイバー３２を横幅方向に沿ってライン状に敷設するための断面視略Ｕ字状の凹溝１６ｂが横幅方向に沿って凹設されている（図３（ａ）参照）。この凹溝１６ｂは、ファイバー保持部材１６の横幅方向に沿って略全体に亙って凹設されており、換言すれば、吊戸棚１の横幅方向の略全体に亙って凹設されている。また、上記開き収納１０ａの底板１５に開設された孔１５ｂと整合する位置には、前記凹溝１６ｂと連通し、後記する発光ファイバー３２が挿通される孔１６ｃが開設されている。
【００１８】
次に、前記した吊戸棚本体１０に設けられた照明手段３０の具体的構成について図３に基づいて説明する。尚、図３において括弧内の符合は、後記する第２実施形態に係る吊戸棚１Ａが備える照明手段３０Ａを示している。
照明手段３０は、図３（ｂ）に示すように、光源３１ａを内部に有した光源装置３１と、光源３１ａから入射された光を伝送する発光ファイバー３２と、発光ファイバー３２の一方の端部３２ｅが嵌挿され、光源装置３１に接続された接続用ハーネス３５とを有している。
【００１９】
光源装置３１内に配設された光源３１ａは、例えば、ハロゲンランプやメタルハライドランプ、キセノンランプ、発光ダイオード等で構成され、後記する制御ユニット４０が備えるＭＰＵ４１によって制御されて点灯、消灯がなされる。
尚、光源装置３１内には、上記光源３１ａからの光を、発光ファイバー３２の端部３２ｅに集光して入射させるための集光レンズ等の光学系や光源３１ａを冷却するための冷却ファン等が配設されている。また、光源３１ａからの光の色を可変するためのカラーフィルター等をさらに配設したものとしてもよい。
【００２０】
発光ファイバー３２は、一方の端部３２ｅから入射された上記光源３１ａからの光を長手方向に沿って伝送するとともに、その伝送する光を外周面から漏光させて発光する側面発光型の導光体である。
本実施形態では、発光ファイバー３２は、図３（ａ）に示すように、光透過性で表面に微細な凹凸が形成されたコア３２ａと、その外周面に形成されたクラッド３２ｂと、そのクラッド３２ｂの外周面に形成された光透過性の被覆層３２ｃと、コア３２ａとクラッド３２ｂとの間の一部に介在する光反射層３２ｄとを備え、その径は、例えば、１ｍｍ程度〜５０ｍｍ程度、好ましくは５ｍｍ程度〜２０ｍｍ程度である。
光反射層３２ｄは、断面視が略半円弧状とされ、コア３２ａの外周面の一部を長手方向に沿って全体に亙って被覆しており、図例のように、凹溝１６ｂ内に敷設された状態で、コア３２ａの背面側の一部を長手方向に沿って被覆している。
尚、このような側面発光型の発光ファイバーは、例えば、特開平１１−８４１３６号公報に開示があり、その他、特開２０００−１３７１１９号公報に開示がある発光ファイバーを適用してもよい。あるいは、後記する他の側面発光型の導光体を適用してもよい。
【００２１】
前記構成とされた発光ファイバー３２では、前記したファイバー保持部材１６の傾斜面１６ａの凹溝１６ｂに敷設された状態で、一方の端部３２ｅから入射された光は、コア３２ａ内を長手方向に沿って伝送されるとともに、その伝送される光の一部は、コア３２ａに形成された凹凸によって散乱され、クラッド３２ｂ及び被覆層３２ｃを透過して、発光ファイバー３２の前面側外周面３２ｆから長手方向に沿って均一に漏光する。一方、背面側外周面３２ｇからは、光反射層３２ｄによって反射されて漏光しない構成とされている。
尚、発光ファイバー３２の他方の端部３２ｈ（図１参照）側には、反射ミラーを設けるようにしてもよい。
【００２２】
前記のようにファイバー保持部材１６の傾斜面１６ａに凹設された凹溝１６ｂ内には、図３（ａ）に示すように、発光ファイバー３２を収容する断面視略Ｕ字状のレール３３が嵌め込まれて固定されており、レール３３の開放側には、透光性カバー３４がレール３３と係合して、取付けられている。透光性カバー３４は、レール３３と係合した状態で、その前面がファイバー保持部材１６の傾斜面１６ａと略面一となるよう構成されている。
透光性カバー３４は、透明樹脂等で構成する他、例えば、発光ファイバー３２を敷設したファイバー保持部材１６の色柄を、吊戸棚本体１０の底板１５と同じ色柄とし、さらにそのファイバー保持部材１６の色柄と同じ色柄とした透光性材料で構成してもよい。これにより、昼間等で発光していない状態では、吊戸棚本体１０との一体性が保たれ、違和感が生じるようなことがなく、デザイン性に優れたものとなる。
【００２３】
次に前記構成とされた吊戸棚１における照明手段３０の制御について図４に基づいて説明する。
制御ユニット４０は、光源装置３１や各部を制御する制御手段を構成するＭＰＵ４１と、操作スイッチ等からなる操作手段４２と、後記する照度の閾値や制御プログラムを格納するメモリ等からなる記憶手段４３と、周囲の照度を検知する照度検知センサ４４と、人の在、不在を検知する人体検知センサ４５とを備えている。
尚、制御ユニット４０は、吊戸棚１の適所に設けられている。
【００２４】
照度検知センサ４４は、例えば、フォトダイオードや太陽電池等の光電変換素子等からなり、周囲の明るさに応じた信号をＭＰＵ４１に向けて出力する。
人体検知センサ４５は、例えば、人体から放射される熱線を検出する焦電型の熱線センサ等からなり、人体から放射された熱線が基準値を上回るとＭＰＵ４１に向けて人体検出信号を出力する。
【００２５】
ＭＰＵ４１は、予め設定され記憶手段４３に格納された照度の閾値と、照度検知センサ４４からの信号の値とを比較して、閾値以下、すなわち夜間等で周囲が十分に暗いと判断すると、人体検知センサ４５からの人体検出信号を受けるまで待機する。その状態で、人体検知センサ４５からの人体検出信号を受信すると、光源装置３１を駆動して光源３１ａを点灯させる。この光源３１ａの点灯によって、前記した発光ファイバー３２が発光する。
尚、操作手段４２は、光源３１ａを強制的に点灯、消灯するためのスイッチである。また、前記のように自動点灯された光源３１ａの点灯時間は、ＭＰＵ４１が備えるタイマ４１ａによって計時して所定時間のみ点灯させるようにしてもよい。これによれば、自動点灯のみならず自動消灯がなされる。
【００２６】
以上のように本実施形態に係る吊戸棚１によれば、吊戸棚本体１０の下面側に、横幅方向に沿ってライン状に発光ファイバー３２を敷設しているので、吊戸棚１の横幅方向に沿って照明することができる。
特に、本実施形態では、吊戸棚本体１０の底板１５の下面１５ａの後端部に付設され、後方側から手前側に向けて先細りとなるように傾斜する傾斜面１６ａを有したファイバー保持部材１６に、発光ファイバー３２を敷設しているので、発光ファイバー３２の前面側周面３２ｆから漏光する光は、吊戸棚１の後端部から手前側下方に向けて照射され、これにより、キッチンカウンター２１のシンク２３廻りが照明されて、後記するように夜間等に水を飲むためにシンク２３を利用する際に、便利である。また、手前側下方に向けて照明されるので、足元が照明され、また、後記するように夜間等にキッチンを利用する際に、フロアユニット２０の位置が明確に認識できるとともに、フロアユニット２０の手前の床に何らかの物体がある場合にも躓くことがない。
【００２７】
また、前記のような発光ファイバー３２によれば、横幅方向に沿って敷設される発光ファイバー３２自体のメンテナンスは、殆ど必要とならず、光源３１ａを交換等すれば良いため、前記各特許文献に記載のような長尺の蛍光灯等に比べて取り扱いが容易であり、メンテナンス性が向上する。
さらに、光源装置３１のメンテナンスや光源３１ａの交換は、開き収納１０ａの開閉扉１１を開けて、メンテナンス用扉１８ａを開けることで容易に行うことができる。
【００２８】
さらにまた、前記したように発光ファイバー３２は、小径であり、また、そのもの自身の発熱量が、前記した蛍光灯や白熱球等と比べて小さいので、透光性カバー３４を近接して設けることができ、発光部となる発光ファイバー３２の設置スペースを小さくできる。よって、省スペース化が図れる。尚、図１及び図２では、ファイバー保持部材１６を理解を容易とするため比較的大きく図示しているが、前記のように小径とされた発光ファイバー３２に合わせて、それを収容する前記レール３３が嵌め込み可能な凹溝１６ｂが、少なくとも凹設できる大きさとすればよく、これにより、ファイバー保持部材１６自体も小さくできる。
また、このような発光ファイバー３２は、特に、耐水性に優れているので、水廻りにも設置でき、よって、キッチンカウンター２１の上方に配置され、水等が跳ねる恐れのある吊戸棚１に好適である。
【００２９】
また、このような発光ファイバー３２は、光源３１ａからの光を伝送しながら外周面から漏光させることで発光するので、キッチンの使用時に手元を照らす主照明（キッチンルームの室内灯や、壁などに付設された流し元灯など）に比べて、照度が低く、少なくともキッチンカウンター２１の存在を認識させる程度で、キッチンカウンター２１を水を飲むため等に利用できる程度の照度が低い照明となる。これにより、例えば、夜間の就寝中、途中で目覚めて、キッチンを一時的に利用するような際には、主照明を点灯させずに、補助照明として発光ファイバー３２を使用でき、目に強い刺激を与えることがない。すなわち、従来のキッチンルームの天井に設けられた照明や、壁などに付設された流し元灯、前記各特許文献等に記載の照明を点灯させると、そもそも調理作業時に手元や食材を照明するためのものであるため、その明るさによって目が冴えてしまい、再度就寝する際に眠気が殺がれ、寝付けなくなる場合があるが、本実施形態によれば、発光ファイバー３２からの光は、上記のように比較的照度が低いので、目に強い刺激を与えることなく、キッチンを利用後も寝付きやすくなり、再度の就寝を妨害するようなことも防止できる。
尚、発光ファイバー３２から照射される光の照度をさらに低くするために、例えば、光源３１ａを調光することで行うようにしたり、発光ファイバー３２自体の外周面からの漏光量を調節することで行うようにしたり、透光性カバー３４の透光量を調節することで行うようにしたりしてもよい。
【００３０】
さらに、本実施形態では、発光ファイバー３２を、敷設された状態で前面側周面３２ｆからのみ漏光する構成としているので、一方の端部３２ｅから入射された光を効率良く長手方向に沿って伝送できるとともに、前面側周面３２ｆからの漏光による発光を効率良く行える。これにより外周面の全周から漏光させて発光するものと比べて、光源３１ａを低出力のものとしても前面側周面３２ｆから十分な発光量が得られるので、省電力化が図れる。
さらにまた、本実施形態では、光源３１ａを、吊戸棚本体１０内に設けているので、光源を外部に設置する場合と比べて、すっきりとした吊戸棚１となり、デザイン性に優れたものとなる。
【００３１】
また、本実施形態では、周囲の照度を検知する照度検知センサ４４と、人の在、不在を検知する人体検知センサ４５とを備え、照度検知センサ４４が検知した周囲の照度が予め定められた閾値以下で、かつ、人体検知センサ４５が人の在を検知したときに、光源３１ａを点灯させて発光ファイバー３２を発光させるようにしているので、例えば、キッチンルームが暗い場合や夜間等にキッチンを利用する際に、使用者が吊戸棚１に近づくと、自動で発光ファイバー３２が発光するので、スイッチ等を手探りで探す必要が無く、快適に使用できるものとなる。
【００３２】
尚、側面発光型の発光ファイバーとして、本実施形態では、１本の発光ファイバーを敷設する構成を例示したが、これに限られず、ミクロン単位の微細径とされたファイバーを複数本束ねて、透明チューブ等で被覆して、前記したレール３３に収容するようにしてもよい。また、側面から発光させる態様も前記した構成に限らず、例えば、微細径とされたファイバーを複数本束ねる際に、各々のファイバーを屈曲させてクラッドとコアとの界面における伝送する光の全反射がなされないようにして外周面から漏光させるようにしたり、クラッドの一部を損傷させることで、外周面から漏光させたり、コア内に光散乱粒子を分散させることでコア内を伝送される光が散乱することにより外周面から漏光させたりするような他の公知の側面発光型の発光ファイバーを適用してもよい。
【００３３】
また、本実施形態では、発光ファイバー３２の一方の端部３２ｅに光源３１ａからの光を入射する態様としているが、左方側の開き収納１０ｃ内に、光源装置を設け、発光ファイバー３２の他方の端部３２ｈを、その光源装置に接続して、両方の端部へそれぞれの光源からの光を入射させるようにしてもよい。
さらに、吊戸棚１の表面側に露出しない発光ファイバー３２の部位は、外周面から漏光しない伝送用のファイバーとしてもよい。
【００３４】
さらにまた、本実施形態では、発光ファイバー３２は、敷設された箇所で、一本のライン状の発光部を構成しているが、複数本を平行にライン状に敷設するようにしてもよい。
また、本実施形態では、前記のようにライン状に敷設された長手方向の全体に亙って、前面側外周面３２ｆから漏光させて均一に発光する態様を例示したが、長手方向に沿って点線状に発光するように構成してもよい。これによれば、インテリア照明として趣向に富むものとできる。このように点線状に発光させる場合は、前記した側面から発光させる態様に応じて、漏光する箇所と、漏光しない箇所を調整したり、前面側外周面３２ｆや透光性カバー３４の裏面に、点線状に発光するように光を透過させないフィルム等を貼着したりしてもよい。
【００３５】
また、本実施形態では、ファイバー保持部材１６を、吊戸棚本体１０の底板１５の下面１５ａに、横幅方向に沿って全体に亙って付設した構成を例示しているが、吊戸棚本体１０の一部に横幅方向に沿って付設するようにしてもよい。
さらに、吊戸棚本体１０は、本実施形態では、３つの開き収納１０ａ，１０ｂ，１０ｃからなるものを例示したが、３つ未満、あるいは４つ以上の開き収納からなる吊戸棚本体としてもよい。
さらにまた、照度検知センサ４４及び人体検知センサ４５を設けて、自動点灯する態様を例示したが、それらを設けず、スイッチ等によって手動で点灯、消灯を行うようにしてもよい。
【００３６】
次に、本発明に係る他の実施の形態について、図面を参照しながら説明する。
図５は、第２実施形態に係る吊戸棚を備えたシステムキッチンを示す概略斜視図、図６は、図５におけるＸ１−Ｘ１線矢視概略断面図である。
尚、第１実施形態との相違点は、主に吊戸棚本体の構成及び照明手段の構成であり、同様の構成については、同一符合を付し、説明を省略する。
また、照明手段の具体的構成について、図３に基づいて説明した第１実施形態と同様の構成については図示及び説明を省略するが、図３（ａ）では、前記第１実施形態に合わせて図示しており、発光ファイバーが敷設された面が傾斜面とされているが、本実施形態では、略水平面としている点で異なる。
【００３７】
本実施形態に係る吊戸棚１Ａは、図５に示すように、第１実施形態と同様、システムキッチンＢにおいてキッチンカウンター２１の上方に設置されており、室内の内壁等に付設されている。
本実施形態に係る吊戸棚１Ａの吊戸棚本体１０Ａは、前記した第１実施形態で説明した吊戸棚本体１０と異なり、底板１５Ａが各開き収納１０Ａａ，１０Ａｂ，１０Ａｃに共通の底板とされており、その底板１５Ａの下面１５Ａａに、照明手段３０Ａを構成する発光ファイバー３２Ａが敷設されている。
【００３８】
上記３つの開き収納のうち最右方に配置された開き収納１０Ａａ内には、図６に示すように、照明手段３０Ａを構成する光源装置３１Ａが右側前方位置に配設されている。
また、この開き収納１０Ａａは、二重底とされており、上底部１８Ａが底板１５Ａから光源装置３１Ａを収容する空間を隔てて、側板１２間に架設されている。また、上底部１８Ａには、光源装置３１Ａのメンテナンスを行う際に開閉されるメンテナンス用扉１８Ａａが設けられている。
【００３９】
吊戸棚本体１０Ａの底板１５Ａの下面１５Ａａには、発光ファイバー３２Ａを横幅方向に沿ってライン状に敷設するための第１実施形態で説明した凹溝１６ｂと同様の断面視略Ｕ字状の凹溝１５Ａｂが横幅方向に沿って凹設されている（図３（ａ）参照）。この凹溝１５Ａｂは、底板１５Ａの横幅方向に沿って略全体に亙って凹設されており、換言すれば、吊戸棚１Ａの横幅方向の略全体に亙って凹設されている。また、底板１５Ａの光源装置３１Ａが配された箇所には、発光ファイバー３２Ａが挿通される孔１５Ａｃが開設され、その孔１５Ａｃと前記凹溝１５Ａｂとは連通している。
前記凹溝１５Ａｂには、レール３３Ａが設けられており、そのレール３３Ａに発光ファイバー３２Ａが収容され、透光性カバー３４Ａによってカバーされている（図３（ａ）参照）。
【００４０】
このような照明手段３０Ａは、前記第１実施形態の照明手段３０と同様、制御ユニット４０によって、その制御がなされる。
以上のように、本実施形態によれば、吊戸棚本体１０Ａの底板１５Ａの下面１５Ａａの手前側部位に発光ファイバー３２Ａを敷設して発光させることで、下方に位置するキッチンカウンター２１の手前側部位を照明でき、第１実施形態と同様、夜間等にキッチンを利用する際にも便利である。
また、吊戸棚本体１０Ａの底板１５Ａ自体に埋設するようにして、発光ファイバー３２Ａを、横幅方向に沿って全体に亙って敷設しているので、底板１５Ａの下面１５Ａａから発光部が突出せず、圧迫感を与えることがない。また、すっきりとした外観となりデザイン性に優れた吊戸棚１Ａとなる。
【００４１】
尚、前記した各実施形態で説明した各発光ファイバーの敷設箇所は、一例に過ぎず、その他、吊戸棚本体の下面側に、横幅方向に沿ってライン状に敷設するようにすればよい。
また、前記した各実施形態に係るシステムキッチンＡ，Ｂは、横幅方向に沿って真っ直ぐに配置されたいわゆるＩ型のシステムキッチンを例示しているが、コーナーに沿ってＬ字状に配置されるいわゆるＬ型のシステムキッチンに合わせてＬ型に配置された吊戸棚にも本発明の適用が可能である。
【図面の簡単な説明】
【００４２】
【図１】本発明に係る吊戸棚の一実施形態を備えたシステムキッチンを示す概略斜視図である。
【図２】図１におけるＸ−Ｘ線矢視概略断面図である。
【図３】（ａ）は、図１におけるＹ−Ｙ線矢視概略拡大断面図、（ｂ）は、同実施形態に係る吊戸棚が備える照明手段を模式的に示す概略正面図である。
【図４】同実施形態に係る吊戸棚の内部構成を示す要部ブロック図である。
【図５】本発明に係る吊戸棚の他の実施形態を備えたシステムキッチンを示す概略斜視図である。
【図６】図５におけるＸ１−Ｘ１線矢視概略断面図である。
【符号の説明】
【００４３】
１，１Ａ              吊戸棚
１０，１０Ａ          吊戸棚本体
１５Ａａ              底板の下面（吊戸棚本体の下面側）
１６ａ                ファイバー保持部材の傾斜面（吊戸棚本体の下面側）
２１                  キッチンカウンター
３１ａ，３１Ａａ      光源
３２，３２Ａ          発光ファイバー（導光体）
３２ｅ，３２Ａｅ      発光ファイバーの一方の端部
３２ｆ，３２Ａｆ      発光ファイバーの前面側外周面（外周面）
４４                  照度検知センサ
４５                  人体検知センサ
【図１】
0005205024.tif 000002
【図２】
0005205024.tif 000003
【図３】
0005205024.tif 000004
【図４】
0005205024.tif 000005
【図５】
0005205024.tif 000006
【図６】
0005205024.tif 000007